(57)【特許請求の範囲】
【請求項１】
係止片が形成された配線器具が配設可能な開口を備えるとともにこの開口を隔てて配線器具の係止片を係止する係止部を備えた金属製の配線器具取付枠において、
開口の長手方向に沿うように設けられた配線器具取付枠の一辺には金属製の弾性部材が嵌合して取付られ、
係止部の少なくとも一方は、係止片の一面に当接する支持部と係止片の他面に当接する弾性部材とによって係止片を挟持することが可能であり、
弾性部材の凸状部位には、係止片との当接方向と略垂直な方向における係止片との当接部位の真横位置に前記当接方向に沿って配線器具取外し治具を配線器具との間に挿入可能とする挿入凹部、および前記挿入凹部の外側面を傾斜したテーパ部が形成され、前記テーパ部は、配線器具取外し治具が挿入される上端側になるに従い配線器具取付枠の一辺の支持部との間隔が広がるように形成されていることを特徴とする配線器具取付枠。
【請求項２】
請求項１記載の配線器具取付枠と、係止部に係止片を係止させることによって配線器具取付枠に取り付けられる配線器具とを具備していることを特徴とする配線器具装置。
【発明の詳細な説明】
【０００１】
【発明の属する技術分野】
本発明は、配線器具を壁などに取り付けるための配線器具取付枠および配線器具装置に関する。
【０００２】
【従来の技術】
従来、この種の配線器具取付枠としては、図５および図６に記載されるものが知られている。図５は従来の配線器具取付枠を示す斜視図、図６は同じく要部斜視図である。この配線器具取付枠５０は、中央部に規格化された大きさの開口５１を備え、この開口５１は規格化された最小サイズ（以下、１モジュールサイズと称する。）の配線器具５２を同時に３つ並べて配設することが可能となっている。また、この配線器具取付枠５０は、配線器具５２を取り付けるための対で構成される係止部５３を開口５１の短辺方向に開口５１を隔てて対向させて設けたものである。この対で構成される係止部５３のそれぞれは、配線器具５２の係止片５４を挿入させる穴を形成することによって主たる構成を成すものであるが、一方の係止部５３は配線器具取付枠５０の本体とは別体である弾性部材５５を備えたものとなっている。このような対の係止部５３は開口５１の長手方向に沿って３対設けられている。
【０００３】
この弾性部材５５は、配線器具取付枠５０の一辺に嵌合させることによって取り付けられる。そして、弾性部材５５は、係止部５３における配線器具５２の係止片５４を挿入する穴の一部を構成する。この係止部５３において弾性部材５５の形状は、凸状を成しており、この凸状の両肩部分が配線器具５２の係止片５３の一面に当接し、配線器具取付枠５０の本体側に設けられた支持部５６とによって係止片５３を挟持する。そして、弾性部材５５の凸状の突出部分は若干のテーパ状に形成されており、突出の先端方向になるに従い配線器具５２との間隔が大きくなるように形成されている。配線器具５２を配線器具取付枠５０に取り付けた状態においては、配線器具５２と弾性部材５５の先端部との間には配線器具５２を取り外すための治具の先端部を挿入することを目的とした隙間が形成されている。
【０００４】
上記配線器具取付枠５０における、配線器具５２の取り外し方法に付いて説明する。まず、配線器具５２と弾性部材５５の凸状部分の先端部との間に例えばマイナスドライバーなどの治具の先端部を挿入する。このとき、弾性部材５５の凸状部分の先端部は、テーパ状に形成されているので、治具を強く差し込むことで治具の先端部を配線器具５２と弾性部材５５との間に深く挿入することが可能である。次に弾性部材５５を配線器具５２から引き離すように挿入させた治具を回動させる。これにより、配線器具５２の係止片５３に当接していた弾性部材５５の両肩部が係止片５３から外れ、配線器具５２が係止片５３から開放された状態となる。そして、配線器具５２の取り外しが可能となる。
【０００５】
【発明が解決しようとする課題】
上記配線器具取付枠５０は、弾性部材５５の凸状部分の先端部のみがテーパ状に形成されているため、テーパの角度をよほど大きくしない限り、配線器具取外し治具を挿入する配線器具５２と弾性部材５５との隙間は狭くなり、配線器具取外し治具の先端部を容易に挿入可能とする構成にはし難い。そして、弾性部材５５のテーパの角度を単に大きくしたのでは、配線器具取外し治具を大きく傾けた状態から回動させないと弾性部材５５を係止片から外すことができず、治具への回動力がかけにくい。また、回動角度を小さくするために、テーパ部分よりも奥に配線器具取外し治具の先端部を挿入しようとする場合、弾性部材５５のテーパの角度が大きいと、テーパ部分から奥への配線器具取外し治具の挿入が行いにくくなる。
【０００６】
また、弾性部材５５の凸状部分の先端部を細長く形成することで、この先端部の角度を適度なものとしながら配線器具取外し治具を挿入する配線器具５２と弾性部材５５との隙間を大きくすることが可能となるが、弾性部材５５を大きくする必要が生じ配線器具取付枠５０の厚さが大きくなって、配線器具装置の薄型化が阻害される。
【０００７】
本発明は、上記の問題点を回避し得る配線器具取付枠および配線器具装置を提供することを目的とする。
【０００８】
【課題を解決するための手段】
請求項１に記載の配線器具取付枠は、中央に配線器具を取り付けることが可能な開口を備えるとともにこの開口を隔てて対向させて配線器具に設けられた係止片を係止するための係止部を備えた配線器具取付枠において、少なくとも一方の係止部は、係止片の一面に当接する支持部と係止片の他面に当接する弾性部とによって係止片を挟持することが可能であり、弾性部には係止片との当接方向と略垂直な方向における係止片との当接部位の真横位置に前記当接方向に沿って配線器具取外し治具を配線器具との間に挿入可能とする挿入凹部が形成されていることを特徴とする。
【０００９】
本発明および以下各請求項に記載の発明における構成要件は、特に言及しない限り次のとおり定義するものとする。
【００１０】
係止部の支持部は、配線器具取付枠と一体に設けられていても別体として設けられていてもよい。また、支持部として配線器具取付枠の本体とは別異の構成として設ける必要はなく、配線器具取付枠の開口の縁部を支持部としてもよい。
【００１２】
係止部の支持部と弾性部材は、配線器具の係止片を挟持できる位置関係にある必要はあるが、互いが対向している必要はない。
【００１３】
弾性部材の係止片との当接部位の真横位置に挿入凹部を設けるということは、少なくとも当接部位の真横位置において弾性部材の一部が窪んでいることを意味する。また、係止片との当接部位と挿入凹部との距離は任意であり規定されない。
【００１４】
挿入凹部は、配線器具取外し治具を挿入可能であれば、形状が限定されるものではない。また、使用される配線器具取外し治具も限定されるものではない。
【００１５】
本発明によれば、係止片が形成された配線器具が配設可能な開口を備えるとともにこの開口を隔てて配線器具の係止片を係止する係止部を備えた金属製の配線器具取付枠において、開口の長手方向に沿うように設けられた配線器具取付枠の一辺には金属製の弾性部材が嵌合して取付られ、係止部の少なくとも一方は、係止片の一面に当接する支持部と係止片の他面に当接する弾性部材とによって係止片を挟持することが可能であり、弾性部材の凸状部位には、係止片との当接方向と略垂直な方向における係止片との当接部位の真横位置に前記当接方向に沿って配線器具取外し治具を配線器具との間に挿入可能とする挿入凹部、および前記挿入凹部の外側面を傾斜したテーパ部が形成され、前記テーパ部は、配線器具取外し治具が挿入される上端側になるに従い配線器具取付枠の一辺の支持部との間隔が広がるように形成されているから、配線器具取外し治具の挿入方向における弾性部材の寸法を大きくすることなく、前記方向における挿入凹部の寸法を大きく形成することができる。したがって、配線器具取外し治具を挿入する配線器具と弾性部材との間隔を挿入が行いやすい任意の寸法としながらも、配線器具取外し治具の先端部を配線器具と弾性部材との間に深くまで挿入することができる。よって、配線器具取外し治具を配線器具と弾性部との間に挿入しやすく、配線器具取外し治具の少ない回動動作で配線器具の係止片を弾性部から開放することができる。
【００１９】
請求項２に記載の配線器具装置は、請求項１記載の配線器具取付枠と、係止部に係止片を係止させることによって配線器具取付枠に取り付けられる配線器具とを具備していることを特徴とする。
【００２０】
本発明において、配線器具の配線器具取付枠に取り付けるための係止片は、配線器具取付枠の支持部と弾性部とによって挟持し得る形状である必要はあるが、平面状に形成されている必要はない。
【００２１】
本発明によれば、請求項１記載の配線器具取付枠の作用により、配線器具取付枠から配線器具を容易に取り外すことができる。
【００２２】
【発明の実施の形態】
以下に図１ないし図４を参照して本発明の実施形態を説明する。
【００２３】
図１は本発明の配線器具取付枠の一実施形態を示す正面図である。図２は同じく側面図である。図３は同じく要部斜視図である。図４は本発明の配線器具装置の一実施形態を示す分解斜視図である。
【００２４】
図４において１は金属製の配線器具取付枠であり、中央部に電気器具すなわち配線器具２０を取り付けるための開口２を備えている。そして、上下両端部には造営材などの壁面３に埋設された配線ボックス４の取付孔５、５に対応する取付開口６、６が設けられているとともにプレート取付孔７、７が設けられている。この配線器具取付枠１は開口２の一側に配線器具２０の両側部に突設した係止片２１が係合する３組の係止部８を設けている。この配線器具取付枠１は一般にワンタッチサポートと称されるものを可とする。
【００２５】
配線器具２０は例えばスイッチで、このスイッチは前面に揺動可能の操作部２２を有し、短方向の外径寸法が配線器具取付枠１の開口２の長手方向寸法の約３分の１に形成されている。
【００２６】
そして、この配線器具２０は前面の両側部に配線器具取付枠１の係止部８に係合する係止片２１を備えている。これら係止片２１は配線器具２０の本体部２３とカバー部２４とを固着する取り付け金具に一体に形成することを可とする。
【００２７】
１１は合成樹脂で形成されたプレートで、このプレート１１は配線器具取付枠１の開口２に対向するプレート開口１２を有するとともにプレート取付孔７に嵌合する図示しない突部を有し、この突部をプレート取付孔７にはめ込んで配線器具取付枠１に取り付けられる。
【００２８】
このプレート１１は、プレート開口１２の周辺部に凹部１３を形成した基体部１４およびプレート開口１２に連通する窓孔１５を有し基体部１４の凹部１３に着脱可能に嵌合する化粧枠１６を含んで形成されている。
【００２９】
３０は操作体で、この操作体３０は配線器具２０の操作部２２に装着され、かつプレート１１のプレート開口１２を塞ぐように形成されている。
【００３０】
３１は操作体３０の略中央部に設けた表示窓であり、この表示窓３１は配線器具２０の前面略中央部に設けた例えばネオンランプや発光ダイオードなどの図示しない表示素子からの光を導光して、スイッチのオン・オフのいずれか一方または両方を表示するようになっている。
【００３１】
３２はプレート１１の取付孔３３および配線器具取付枠１の取付開口６を貫通し、これらを配線ボックス４に固着するねじである。
【００３２】
次に上記配線器具取付枠１について詳しく説明する。この配線器具取付枠１は、配線器具２０を取り付けるための対で構成される係止部８を開口２の短辺方向に開口２を隔てて対向させて設けたものである。この対で構成される係止部８のそれぞれは、配線器具２０の係止片２１を挿入させる穴を形成することによって主たる構成を成すものであるが、一方の係止部８は配線器具取付枠１の本体とは別体である弾性部材１７を備えたものとなっている。このような対の係止部８は開口２の長手方向に沿って３対設けられている。
【００３３】
この弾性部材１７は、配線器具取付枠１の一辺に嵌合させることによって取り付けられる。そして、弾性部材１７は、係止部８における配線器具２０の係止片２１を挿入する穴の一部を構成する。そして、この穴の他の一部は挿入された係止片２１を支持する支持部１８となっている。この係止部８において弾性部材１７の形状は、凸状を成しており、この凸状の両側部分が配線器具２０の係止片２１の一面に当接し、配線器具取付枠１の本体側に設けられた支持部１８とによって係止片２１を挟持する。そして、弾性部材１７の凸状の突出部位には、図示しない配線器具取外し治具を配線器具２０との間に挿入可能とする挿入凹部１９が形成されている。この挿入凹部１９は、弾性部材１７の突出部位の先端から係止片２１との当接部位の真横位置にまで亙って前記当接方向に沿って形成されている。そして、この挿入凹部１９には、配線器具取外し治具の挿入側になるに従い配線器具２０との間隔が広がるようなテーパ部１９aが形成されている。そして、配線器具２０を配線器具取付枠１に取り付けた状態においては、配線器具２０と弾性部材１７の突出部位の先端部との間には配線器具取外し治具の先端部を容易に挿入可能な隙間が形成されている。
【００３４】
ここで、挿入凹部１９は、弾性部材１７と係止片２１との当接部位の真横位置にまで亙って形成されているから、配線器具取外し治具の挿入方向における弾性部の寸法を大きくすることなく、前記方向における挿入凹部の寸法は比較的大きく形成されている。したがって、配線器具取外し治具を挿入する配線器具と弾性部との間隔を十分な大きさに確保しながらも、配線器具取外し治具の先端部を配線器具２０と弾性部材１７との間に深くまで挿入することができる。また、挿入凹部１９にテーパ部１９aが形成されているため、配線器具取外し治具の挿入凹部への挿入が一層に容易となっている。
【００３５】
上記配線器具取付枠１における、配線器具２０の取り外し方法に付いて説明する。まず、配線器具２０と弾性部材１７の挿入凹部１９との間に例えばマイナスドライバーなどの治具の先端部を挿入する。このとき、挿入凹部１９には上記のようにテーパ部１９aが形成されているので、治具を強く差し込むことで治具の先端部を配線器具２０と弾性部材１７との間に深く挿入することが可能である。次に弾性部材１７を配線器具２０から引き離すように挿入させた治具を回動させる。これにより、配線器具２０の係止片２１に当接していた弾性部材１７が係止片２１から外れ、配線器具２０が係止片２１から開放された状態となる。そして、配線器具２０の取り外しが可能となる。
【００３６】
【発明の効果】
請求項１に記載の配線器具取付枠によれば、配線器具取外し治具の挿入方向における弾性部材の寸法を大きくすることなく、前記方向における挿入凹部の寸法を大きく形成することができる。したがって、配線器具と弾性部材との間隔を配線器具取外し治具の挿入が行いやすい任意の寸法としながらも、配線器具取外し治具深くまで挿入することができる。よって、配線器具取外し治具を配線器具と弾性部材との間に挿入しやすく、配線器具取外し治具の少ない回動動作で配線器具の係止片を弾性部材から開放することができる。
【００３８】
請求項２に記載の配線器具装置によれば、請求項１記載の配線器具取付枠の効果により、配線器具取付枠から配線器具を容易に取り外すことができる。
【図面の簡単な説明】
【図１】本発明の配線器具取付枠の一実施形態を示す正面図である。
【図２】同じく側面図である。
【図３】同じく要部斜視図である。
【図４】本発明の配線器具装置の一実施形態を示す分解斜視図である。
【図５】従来の配線器具取付枠を示す斜視図である。
【図６】同じく要部斜視図である。
【符号の説明】
１…配線器具取付枠、        １a…支持部
２…開口、                  ８…係止部、
１７…弾性部材、            １９挿入凹部、
１９a…テーパ部、           ２０…配線器具、
２１…係止片
【図１】
0003698232.tif 000002
【図２】
0003698232.tif 000003
【図３】
0003698232.tif 000004
【図４】
0003698232.tif 000005
【図５】
0003698232.tif 000006
【図６】
0003698232.tif 000007